(57)【要約】【課題】回動して開閉する扉が容易に開きすぎず、閉じる際の衝撃音を抑えることが可能な建具を提供する。【解決手段】開口を形成する枠体に回動自在に設けられ、前記枠体が形成する前記開口を閉塞可能な障子を有する建具であって、前記枠体は、前記開口の内側に突出する突出部を有し、前記障子は、前記突出部と対向する端部に、前記開口の外側に向かって付勢されつつ内外方向に移動可能に設けられた移動部材を有し、前記移動部材は、前記障子を開くときに、見込み方向の一方側から他方側に移動しつつ前記突出部と摺接し、閉じるときに前記他方側から前記一方側に移動しつつ前記突出部と摺接して、前記開口の内側に移動し、前記突出部の前記他方側の部位は、前記移動部材が摺接するときに、前記一方側の部位より前記移動部材が移動し易い形状をなしている。【選択図】図４
2013133679.tif 000002
【特許請求の範囲】
【請求項１】
開口を形成する枠体に回動自在に設けられ、前記枠体が形成する前記開口を閉塞可能な障子を有する建具であって、
前記枠体は、前記開口の内側に突出する突出部を有し、
前記障子は、前記突出部と対向する端部に、前記開口の外側に向かって付勢されつつ内外方向に移動可能に設けられた移動部材を有し、
前記移動部材は、前記障子を開くときに、見込み方向の一方側から他方側に移動しつつ前記突出部と摺接し、閉じるときに前記他方側から前記一方側に移動しつつ前記突出部と摺接して、前記開口の内側に移動し、
前記突出部の前記他方側の部位は、前記移動部材が摺接するときに、前記一方側の部位より前記移動部材が移動し易い形状をなしていることを特徴とする建具。
【請求項２】
請求項１に記載の建具であって、
前記突出部における前記他方側の部位の形状は、より前記他方側に位置するにつれて突出量が小さくなる湾曲面であることを特徴とする建具。
【請求項３】
請求項１に記載の建具であって、
前記突出部の前記他方側の部位は、より前記他方側に位置するにつれて突出量が小さくなる傾斜面であることを特徴とする建具。
【請求項４】
請求項１乃至請求項３のいずれかに記載の建具であって、
前記突出部の前記一方側の部位は、鉛直面をなしていることを特徴とする建具。
【請求項５】
請求項１乃至請求項４のいずれかに記載の建具であって、
前記障子は、隣接する前記障子が回動自在に連結された折戸であり、
前記突出部は、前記枠体が有する上枠または下枠に設けられ前記折戸の開閉時に当該折戸が案内されるレールであることを特徴とする建具。
【請求項６】
請求項５に記載の建具であって、
前記下枠の前記レールの上部に、前記障子を支持する平面部を有していることを特徴とする建具。
【発明の詳細な説明】
【技術分野】
【０００１】
本発明は、開口を形成する枠体に回動自在に設けられ、前記枠体が形成する開口を閉塞可能に設けられた障子を有する建具に関する。
【背景技術】
【０００２】
開口を形成する枠体に回動自在に設けられ、前記枠体が形成する開口を閉塞可能に設けられた障子を有する建具としては、例えば、複数枚の戸パネルをヒンジ具で螺着した折り畳み扉をレールに走行自在に係合した建具が知られている（例えば、特許文献１参照）。このような建具は、障子からレールに向かって突出させた連結棒をばねにてレール側に付勢するとともに、その先端にテーパー面を有する略円錐状の係止突起を設け、折り畳み扉の閉止時に係止突起とレールとが嵌合するように構成されている。この折り畳み扉の略円錐状をなす係止突起が嵌合するレールは、断面が略コ字状に形成され、見込み方向に間隔を隔てて平行に立設されている両側片の先端（下レールの上端）が内側に円弧状に折り曲げられている。そして、折り畳み扉を開閉する際には、係止突起がレールに押し上げられて、見込み方向においてレールの両側片の間と外側とを移動するように構成されている。
【先行技術文献】
【特許文献】
【０００３】
【特許文献１】実開昭５２−４４６４１号公報
【発明の概要】
【発明が解決しようとする課題】
【０００４】
上記のような折り畳み扉の係合突起が係合されるレールは、断面が略コ字状に形成され、両側片の先端（下レールの上端）が内側に円弧状をなしている。このため、折り畳み扉が一方側から他方側へ、また、他方側から一方側へ移動する際には、係止突起がレールと接触する。このような折り畳み扉は、閉止状態が維持されるように、例えば自然に開いてしまうことがないように、係止力を備える必要がある一方で、閉じる際には、係止突起がレールと接触する際の衝撃音を小さく抑えることが望まれている。
【０００５】
本発明は、かかる課題に鑑みてなされたものであり、その目的とするところは、回動して開閉する扉の閉止状態をより確実に維持するとともに閉じる際に生じる衝撃音を小さく抑えることが可能な建具を提供することにある。
【課題を解決するための手段】
【０００６】
かかる目的を達成するために本発明の建具は、開口を形成する枠体に回動自在に設けられ、前記枠体が形成する前記開口を閉塞可能な障子を有する建具であって、前記枠体は、前記開口の内側に突出する突出部を有し、前記障子は、前記突出部と対向する端部に、前記開口の外側に向かって付勢されつつ内外方向に移動可能に設けられた移動部材を有し、前記移動部材は、前記障子を開くときに、見込み方向の一方側から他方側に移動しつつ前記突出部と摺接し、閉じるときに前記他方側から前記一方側に移動しつつ前記突出部と摺接して、前記開口の内側に移動し、前記突出部の前記他方側の部位は、前記移動部材が摺接したときに、前記一方側の部位より前記移動部材が移動し易い形状をなしていることを特徴とする建具である。
【０００７】
このような建具によれば、障子を開閉する際に移動部材が摺接する突出部の他方側の部位は、移動部材が摺接したときに、突出部の一方側の部位より移動部材が移動し易い形状をなしている。このため、障子を開くときに移動部材が突出部に摺接しても閉じるときよりも移動部材が移動しにくいので、開く場合には、閉じる場合より、より大きな力が必要となる。このため、閉じるときよりも大きな力にて障子を操作しないと開かない建具を提供することが可能である。
【０００８】
一方、障子を閉じるときには、移動部材が突出部に摺接すると開くときよりも移動し易いので、閉じる場合には、開く場合より、より小さな力にて閉じることが可能である。このため、移動部材が突出部に接触する際に作用する力が小さいので、大きな音の発生を抑えることが可能である。
【０００９】
また、移動部材は閉じた状態で突出部と対向する障子の端部に設けられているので、障子を開く際に突出部と移動部材とが接触するまでに、障子が移動する距離は短い。ところが、障子を閉じるときには、移動部材と突出部との距離が長く離れている場合があるが、たとえ長い距離を移動されて加速されても、移動部材は突出部の他方側にて小さな力にて移動するので、衝撃音の発生を抑えることが可能である。このため、回動して開閉する扉の閉止状態をより確実に維持するとともに閉じる際に発生する衝撃音を小さく抑えることが可能な建具を提供することが可能である。
【００１０】
かかる建具であって、前記突出部における前記他方側の部位の形状は、より前記他方側に位置するにつれて突出量が小さくなる湾曲面であることが望ましい。  
このような建具によれば、障子を閉じるときに摺接する側となる、突出部の他方側の部位の形状が、突出量が緩やかに変化する湾曲面なので、突出部の他方側の部位に接触した移動部材は、緩やかに曲面が変化する湾曲面に沿って開口の内側に案内されて移動する。このため、障子を閉じる際に発生する衝撃音を小さく抑えることが可能である。
【００１１】
かかる建具であって、前記突出部の前記他方側の部位は、より前記他方側に位置するにつれて突出量が小さくなる傾斜面であってもよい。  
このような建具によれば、障子を閉じるときに摺接する側となる、突出部の他方側の部位の形状が、突出量が緩やかに変化する傾斜面なので、突出部の他方側の部位に接触した移動部材は、緩やかな傾斜面に沿って開口の内側に案内されて移動する。このため、障子を閉じる際に発生する衝撃音を小さく抑えることが可能である。
【００１２】
かかる建具であって、前記突出部の前記一方側の部位は、鉛直面をなしていることが望ましい。  
このような建具によれば、閉じられた障子を開くときに移動部材が摺接する側となる、突出部の見込み方向における一方側の部位は鉛直面をなしているので、障子が閉じた状態をより確実に維持することが可能な建具を提供することが可能である。
【００１３】
かかる建具であって、前記障子は、複数設けられて隣接する前記障子が回動自在に連結された折戸であり、前記突出部は、前記枠体が有する上枠または下枠に設けられ前記折戸の戸先框が案内されるレールであることが望ましい。  
このような建具によれば、折戸の戸先框が案内されるレールに移動部材が摺接して障子が閉じられた状態が維持されるので、移動部材が摺接するための突出部を別途設ける必要がない。このため、枠体が有する上枠または下枠を簡単な形状とすることが可能であり、製造性に優れた建具を提供することが可能である。
【００１４】
かかる建具であって、前記下枠の前記レールの上部に、前記障子を支持する平面部を有していることが望ましい。  
このような建具によれば、下枠のレールの上部が有する平面部にて障子を支持することができるので、障子を閉じた状態を保持し、閉じるときに発生する衝撃音を小さく抑えつつ、障子が安定した状態で移動可能な建具を提供することが可能である。
【発明の効果】
【００１５】
本発明によれば、回動して開閉する扉の閉止状態をより確実に維持するとともに閉じる際に発生する衝撃音を小さく抑えることが可能な建具を提供することが可能である。
【図面の簡単な説明】
【００１６】
【図１】本実施形態に係る建具を浴室側から見た外観図である。
【図２】本実施形態に係る建具の縦断面図である。
【図３】本実施形態に係る建具の横断面図である。
【図４】建具の下側に設けられたラッチ機構を説明するための縦断面図である。
【図５】係合部と下レールの脱衣室側の部位との摺接状態を示す縦断面図である。
【図６】係合部と下レールの浴室側の湾曲面との摺接状態を示す縦断面図である。
【発明を実施するための形態】
【００１７】
以下、本発明の一実施形態に係る建具について図面を参照して説明する。  
本実施形態では、図１〜図３に示すように、浴室と脱衣室との境界に設けられ、浴室と脱衣室とを仕切る折戸２２を備えた浴室用の建具１を例に挙げて説明する。
【００１８】
以下の説明においては、建物等に取り付けられた状態の浴室用の建具１を浴室側から見たときに、上下となる方向を上下方向、左右となる方向を左右方向または見付け方向、室内外方向である奥行き方向を見込み方向として示す。また、浴室用の建具１が備える各部材は、単体として説明する場合であっても、建物等に取り付けられた状態で上下方向、見付け方向、見込み方向等となる方向にて方向を特定して説明する。
【００１９】
本実施形態の建具１は、枠体１３と、枠体１３内に装着され、連結部材９にて回動自在に連結された障子としての２枚の扉１４、１５が折り畳み可能な折戸２２と、を有している。本実施形態では、図１、図３において右側に位置する扉が吊元扉１４をなし、左側に位置する扉が移動扉１５をなしている。
【００２０】
枠体１３は、浴室と脱衣室とを連通する開口１３ａを形成し、開口１３ａの上方に位置する上枠１０と、開口１３ａの下方に位置する下枠１１と、開口１３ａの見付け方向における両側に配置される左右の縦枠１２とが矩形状に枠組みされている。上枠１０、下枠１１、左右の縦枠１２は、いずれも押出成形部材であり、矩形状に形成された際に開口１３ａの内外方向の内側、すなわち、上枠１０は下方、下枠１１は上方、左側の縦枠１２の右側、及び、右側の縦枠１２の左側に、それぞれ水密部材としてのシール材３０、３１、３２が開口１３ａを囲むように設けられている。
【００２１】
また、上枠１０と下枠１１とには、見付け方向のほぼ全域にわたって開口１３ａの内側、すなわち、上枠１０は下方に、また下枠１１は上方に、それぞれ突出させて、折戸２２のガイドをなす突出部としてのレール１０ａ、１１ａが設けられている。より具体的には、下枠１１の浴室側と脱衣室側との間に見付け方向に沿って設けられたシール材３２より浴室側に、緩やかな僅かな傾斜を有する下枠上面部１１ｂが設けられており、下枠上面部１１ｂの見込み方向における中央より僅かに脱衣室側に、上方に立設された下レール１１ａが設けられている。また、上枠１０には、下レール１１ａと対向する位置に上レール１０ａが垂設されている。
【００２２】
２枚の扉１４、１５をなす吊元扉１４及び移動扉１５はそれぞれ、透光性を有する樹脂製やガラス製の面材２３を有している。吊元扉１４は、面材２３を囲むように上框１７及び下框１８の両端部側に吊元框２１と縦中框２０とが配置されて、吊元框２１と縦中框２０側から上框１７、下框１８側に進入するビスにて螺着されて矩形状に框組みされている。また、移動扉１５は面材２３を囲むように上框１７及び下框１８の両端部側に戸先框１９と縦中框２０とが配置されて、戸先框１９と縦中框２０側から上框１７、下框１８側に進入するビスにて螺着されて矩形状に框組みされている。
【００２３】
移動扉１５の戸先框１９側の上端部及び下端部には、上枠１０及び下枠１１の上レール１０ａ及び下レール１１ａと係合して、回動しつつ見付け方向に移動可能な摺動ブロック２４が設けられている。このため、浴室側のハンドル２５が浴室側に引かれるか、または、脱衣室側のハンドル２６が浴室側に押されると、図３に示すように、吊元扉１４及び移動扉１５の縦中框２０が連結部材９に対してそれぞれ回動しつつ浴室側に移動し、移動扉１５の戸先側の摺動ブロック２４が上レール１０ａ、及び下レール１１ａ沿って吊元框２１側に移動することにより、吊元扉１４及び移動扉１５が折り畳まれて開口１３ａが開かれる。
【００２４】
吊元扉１４が有する縦中框２０の下端部には、下レール１１ａとともに、折戸２２を閉じた状態に維持するためのラッチ機構５を構成するラッチ本体５０が設けられている。
【００２５】
ラッチ本体５０は、図４に示すように、縦中框２０の下端を覆うキャップ部５１ａと一体となり縦中框２０に嵌合されるホルダー５１と、ホルダー５１に嵌合され下レール１１ａと摺接する移動部材５４が収容される収容部５２ａを有するケーシング５２と、ケーシング５２の収容部５２ａに収容されるとともに、開口１３ａの内外方向、本実施形態では上下方向に移動可能にケーシング５２に係合される移動部材５４と、移動部材５４とともに収容部５２ａに収容されて、移動部材５４を開口１３ａの外側に向かって付勢するコイルスプリング５６と、移動部材５４の外周に設けられたＯリング５８と、を有している。
【００２６】
ホルダー５１及びケーシング５２は、樹脂製の部材であり、縦中框２０の下端を覆うキャップ部５１ａに設けられた開口から僅かに下方に突出したケーシング５２の下端に設けられ上方に窪む凹部でなる収容部５２ａと連通する連通口５２ｂを有している。すなわち、ケーシング５２は連通口５２ｂにて下方に開放され、連通口５２ｂの上方にはケーシング５２の上下方向における中央近傍に収容部５２ａの上壁５２ｃが設けられている。
【００２７】
移動部材５４は、樹脂製の部材であり、見込み方向における、ほぼ中央から浴室側が平坦な底面５４ａをなし、脱衣室側には底面５４ａより下方に突出した係合部５４ｂが設けられた係合本体部５４ｃと、係合本体部５４ｃの見込み方向における両端部からそれぞれ上方に延出された係止片５４ｄと、係合本体部５４ｃの上面から上方に突出してコイルスプリング５６に挿通されるガイド部５４ｅとを有している。
【００２８】
係合部５４ｂは、下方に突出した山形状をなしており、見込み方向におけるほぼ中央にて最も突出した頂部５４ｆがあり、最も突出する頂部５４ｆから浴室側と、脱衣室側とにそれぞれ傾斜を有する係合面５４ｇ、５４ｈが形成されている。ここで、脱衣室側の係合面５４ｇはほぼ平面をなしており、浴室側の係合面５４ｈは僅かに外側に湾曲している。
【００２９】
浴室側の係止片５４ｄの上端部には浴室側に、脱衣室側の係止片５４ｄの上端部には脱衣室側にそれぞれ突出されたフック部５４ｉを有しており、ケーシング５２の内周壁部５４ｄに設けられた、上下方向に長い長孔（不図示）に係合されて上下方向に移動し、長孔の下端にて移動部材５４の下方への移動が規制されるように構成されている。
【００３０】
そして、移動部材５４のガイド部５４ｅが挿通されたコイルスプリング５６は、長孔の下端に係止された移動部材５４の係合本体部５４ｃの上面５４ｊとケーシング５２の上壁５２ｃとの間で圧縮されて、移動部材５４を下方に付勢している。このとき、ガイド部５４ｅは、上壁５２ｃに設けられた孔（不図示）に挿通されている。
【００３１】
係合本体部５４ｃの、底面５４ａより上側の外周面にＯリング５８が取り付けられている。このＯリング５８は、移動部材５４がケーシング５２に取り付けられた際に、ケーシング５２に設けられた収容部５２ａの内周壁部５２ｄとの間に位置し、移動部材５４が上下に移動したときに内周壁部５２ｄとの間で摺動して移動部材５４の速い移動を抑制している。
【００３２】
このラッチ本体５０は、折戸２２が閉じられたときに、図４に示すように、下枠１１に設けられた下レール１１ａの上方に移動部材５４の底面５４ａが位置するように配置される。
【００３３】
下レール１１ａは、基端側となる下枠上面部１１ｂ側のほぼ下半分が、上部となる先端側より薄く形成されている。下レール１１ａの先端側の部位は、見込み方向に沿う面にて破断した際の縦断面における浴室側の輪郭において浴室側に向かって下レール１１ａの基端側に近づく割合が、脱衣室側の輪郭において脱衣室側に向かって下レール１１ａの基端側に近づく割合より小さく形成されている。言い換えると、下レール１１ａの先端側の部位は、脱衣室側の部位において、より脱衣室側に位置するにつれて突出量が小さくなる割合が、浴室側の部位において、より浴室側に位置するにつれて突出量が小さくなる割合より小さい形状をなしている。ここで、下レール１１ａの浴室側の部位において、より浴室側に位置するにつれて突出量が小さくなる割合、及び、脱衣室側の部位において、より脱衣室側に位置するにつれて突出量が小さくなる割合、とは、浴室側の部位の形状が変化する割合、及び、脱衣室側の部位の形状が変化する割合であり、例えば、浴室側の部位及び脱衣室側の部位が傾斜面の場合には傾斜角であり、円弧状の曲面であれば曲率に相当する。このため、下レール１１ａは、浴室側の部位において、より浴室側に位置するにつれて突出量が小さくなる割合が、脱衣室側の部位において、より脱衣室側に位置するにつれて突出量が小さくなる割合より小さい形状なので、脱衣室側より浴室側の方が緩やかに変化する形状をなしている。本実施形態の場合には、先端側の脱衣室側の部位は、脱衣室に臨む鉛直な鉛直平面１１ｆをなしており、浴室側は断面の輪郭が円弧状をなしている。また、先端部の上部は、脱衣室側にほぼ水平な平面部１１ｃを有しており、平面部１１ｃと脱衣室側の鉛直平面１１ｆとの境界部は、角が尖らない程度の、半径の小さな小曲面１１ｄにて繋がっている。下レール１１ａの上部における浴室側は、上部が平面部１１ｃから繋がった円弧状の湾曲面１１ｅをなし、下部はほぼ鉛直をなす鉛直面１１ｇを有している。ここで、平面部１１ｃと脱衣室側の鉛直平面１１ｆとの境界部は、糸面取りであっても構わない。
【００３４】
折戸２２が閉じた状態では、図４に示すように、下レール１１ａより脱衣室側に係合部５４ｂが位置し、下レール１１ａの平面部１１ｃの上方にラッチ本体５０の底面５４ａが上下に対向するように配置されている。
【００３５】
そして、閉じた状態の折戸２２を開くときには、吊元扉１４及び移動扉１５の縦中框２０が浴室側に移動するので、コイルスプリング５６に付勢されて吊元扉１４のケーシング５２の下端から突出している移動部材５４の係合部５４ｂが、図５に示すように、まず下レール１１ａに一方側としての脱衣室側から接触する。折戸２２が更に開かれて吊元扉１４の縦中框２０が更に浴室側に移動されることにより、下レール１１ａの小曲面１１ｄに浴室側の係合面５４ｈが押圧されつつ摺接し、コイルスプリング５６を圧縮しつつ移動部材５４が上方に移動する。このとき、移動部材５４に設けられたＯリング５８が収容部５２ａの内周壁部５２ｄとの間で押圧されることにより、摩擦による負荷が生じるため、移動部材５４が移動する際の緩衝材として機能する。
【００３６】
その後、上方に移動した移動部材５４の頂部５４ｆが平面部１１ｃ上を摺接しつつ吊元扉１４の縦中框２０が下レール１１ａの浴室側に移動する。そして、図６に示すように、係合部５４ｂの脱衣室側の係合面５４ｇが下レール１１ａの浴室側の湾曲面１１ｅを摺接するとともにコイルスプリング５６に付勢されて移動部材５４が最も下方に突出して折戸２２が開かれる。
【００３７】
開かれた折戸２２を閉じるときには、吊元扉１４及び移動扉１５の縦中框２０が浴室側から枠体１３に近づく方向に移動する。そして、図６に示すように、まず係合部５４ｂの脱衣室側の係合面５４ｇが下レール１１ａの他方側としての浴室側から、下レール１１ａ湾曲面１１ｅに接触する。さらに折戸２２を閉じると、下レール１１ａの浴室側の湾曲面１１ｅに係合部５４ｂの脱衣室側の係合面５４ｇが押圧されつつ摺接し、コイルスプリング５６を圧縮しつつ移動部材５４が上方に移動する。このとき、係合部５４ｂの脱衣室側の係合面５４ｇは、折戸２２を開くときに浴室側の係合面５４ｈが下レール１１ａの小曲面１１ｄに押圧される場合と異なり、緩やかな湾曲面１１ｅにて押圧されるので、上方向に作用する力が、折戸２２を開く場合より大きくなるため、下レール１１ａの浴室側の湾曲面１１ｅに沿って摺接しつつ上方に押し上げられる。このため、折戸２２を開く場合より、移動部材５４が下レール１１ａと接触したときの衝撃音が小さくなる。
【００３８】
更に折戸２２を閉じると、移動部材５４が下レール１１ａの浴室側の湾曲面１１ｅに沿って摺接し、移動部材５４の頂部５４ｆが平面部１１ｃを摺接しつつ吊元扉１４の縦中框２０が下レール１１ａの脱衣室側に移動する。そして、移動部材５４の頂部５４ｆが下レール１１ａの小曲面１１ｄを越えるとコイルスプリング５６に付勢されている移動部材５４が最も下方に突出して折戸２２が閉じた状態となる。この状態では、折戸２２を開く方向に移動させると、移動部材５４の係合部５４ｂが、下レール１１ａの小曲面１１ｄと摺接するので、折戸２２を閉じるときに、係合部５４ｂの脱衣室側の係合面５４ｇが下レール１１ａの浴室側の湾曲面１１ｅに押圧される場合と異なり、上方向に作用する力が、折戸２２を閉じる場合より小さくなるため、折戸２２を閉じた状態を維持する力が強くなる。このように、下レール１１ａの浴室側の部位は、移動部材５４が接触したのちに、下レール１１ａの緩やかな湾曲面１１ｅに沿って案内されるように摺接するので、下レール１１ａの脱衣室側の部位より移動部材５４が移動し易い形状をなしている。
【００３９】
本実施形態の建具１によれば、折戸２２を開閉する際に係合部５４ｂが摺接する下レール１１ａは、折戸２２を閉じるときに摺接する、下レール１１ａの浴室側の係合面５４ｈより、閉じた状態から開くときに摺接する脱衣室側の係合面５４ｇの方が、水平方向に対する角度が急な面、すなわち、ほぼ鉛直な面をなしている。このため、折戸２２を閉じた状態から開くときには、移動部材５４は、閉じるときよりも開口１３ａの内側、すなわち上方に移動され難い。このため、折戸２２の閉止状態をより確実に維持することが可能な建具１を提供することが可能である。
【００４０】
一方、折戸２２を閉じるときに摺接する下レール１１ａの縦断面における浴室側の輪郭は、脱衣室側の輪郭より緩やかに変化する湾曲面１１ｅをなしている。このため、折戸２２を閉じるときは、移動部材５４は、下レール１１ａの浴室側の湾曲面１１ｅにて上方に案内されるように、折戸２２開くときより緩やかに移動する。このため、移動部材５４は折戸２２を開くときよりも小さな力にて上方に移動させて折戸２２を閉じることが可能である。
【００４１】
また、係合部５４ｂは折戸２２を閉じた状態で下レール１１ａと対向する縦中框２０の下端に設けられているので、下レール１１ａと係合部５４ｂとが接触するときに、折戸２２が移動する距離は短い。このため、折戸２２を開くときに下レール１１ａと係合部５４ｂとが接触する際の衝撃音は小さい。ところが、折戸２２を閉じるときには、係合部５４ｂと下レール１１ａとの距離が長い場合があるが、係合部５４ｂは下レール１１ａの浴室側の湾曲面１１ｅにて、上方に案内されるように、折戸２２を開くときより緩やかに移動するので、発生する衝撃音を小さく抑えることが可能である。このため、折戸２２の閉止状態をより確実に維持するとともに折戸２２を閉じる際の衝撃音を小さく抑えることが可能な建具１を提供することが可能である。
【００４２】
上記実施形態においては、折戸２２を閉じるときに、係合部５４ｂが摺接する下レール１１ａの形状を、縦断面の輪郭が円弧状をなす湾曲面としたが、浴室側に向かって降下する傾斜面であっても構わない。この場合にも、折戸２２を閉じるときに、係合部は下レールの傾斜面に沿って上方に案内されるので、発生する衝撃音を小さく抑えることが可能である。
【００４３】
また、閉じられた折戸２２を開くときに係合部５４ｂが摺接する下レール１１ａの見込み方向における脱衣室側の部位が、鉛直平面１１ｆをなしているので、折戸２２が閉じられた状態を維持しやすい建具１を提供することが可能である。
【００４４】
すなわち、実施形態の建具１は、折戸２２を開閉する際に移動部材５４が摺接する下レール１１ａの浴室側の部位が、移動部材５４が摺接するときに、脱衣室側の部位より移動部材５４が移動し易い形状をなしている。このため、折戸２２を開くときには、移動部材５４が下レール１１ａに摺接しても閉じるときよりも移動しにくいので、開く場合には、閉じる場合より、より大きな力が必要となる。このため、閉じるときよりも大きな力にて折戸２２を操作しないと開かない建具１を提供することが可能である。
【００４５】
一方、折戸２２を閉じるときに、移動部材５４が下レール１１ａに摺接する際には、開くときよりも移動し易いので、閉じる場合には、開く場合より、より小さな力にて閉じることが可能である。このため、移動部材５４が下レール１１ａに接触する際に作用する力が小さいので、大きな音の発生を抑えることが可能である。
【００４６】
また、移動部材５４は閉じた状態で下レール１１ａと対向する折戸２２の端部に設けられているので、折戸２２を開く際に下レール１１ａと移動部材５４とが接触するまでに、折戸２２が移動する距離は短い。ところが、折戸２２を閉じるときには、移動部材５４と下レール１１ａとの距離が長く離れている場合があるが、たとえ長い距離を移動されて加速されても、移動部材５４は下レール１１ａの浴室側にて小さな力にて移動するので、開くときよりも衝撃音の発生を抑えることが可能である。このため、回動して開閉する折戸２２の閉止状態をより確実に維持するとともに閉じる際に発生する衝撃音を小さく抑えることが可能な建具１を提供することが可能である。
【００４７】
また、折戸２２の戸先框１９が案内される下レール１１ａに係合部５４ｂが係合して折戸２２が閉じられた状態が維持されるので、係合部５４ｂが係合するための突出部を別途設ける必要がない。このため、下枠１１を簡単な形状とすることが可能であり、製造性に優れた建具１を提供することが可能である。
【００４８】
また、下枠１１の下レール１１ａの上部が有する平面部１１ｃにて折戸２２をより安定した状態に支持することができ、脱衣室側に設けられた鉛直平面１１ｆ、及び、浴室側に設けられた鉛直面１１ｇにて、下レール１１ａを摺動する摺動ブロックが安定した状態に保ちつつガイドすることが可能である。このため、折戸２２を閉じた状態を保持し、閉じるときに発生する衝撃音を小さく抑えつつ、折戸２２がより安定した状態で移動可能な建具１を提供することが可能である。
【００４９】
上記実施形態では折戸を備えた建具について説明したがこれに限ることなく、たとえば、開き戸を備えた建具であっても構わない。
【００５０】
また、上記実施形態においては、ラッチ機構５を、吊元扉１４が有する縦中框２０の下端部に設けられたラッチ本体５０と下レール１１ａとで構成した例について説明したが、これに限るものではない。例えば、ラッチ本体５０を吊元扉１４が有する縦中框２０の上端部に設け、コイルスプリング５６により移動部材５４を上方に付勢して上枠１０の上レール１０ａと係合するラッチ機構５であっても構わない。また、ラッチ機構５を、建具１の上下にそれぞれ設けても構わない。また、ラッチ本体５０を移動扉が有する戸先框の先端や開き戸の戸先框の先端に設け、コイルスプリングにより移動部材を戸先框から対向する縦枠側に付勢して縦枠に設けられたヒレ部と係合するラッチ機構であっても構わない。また、ラッチ機構を、建具の上下及び戸先框にそれぞれ設けても構わない。
【００５１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  建具、５  ラッチ機構、１０  上枠、１０ａ  上レール、１１  下枠、
１１ａ  下レール、１１ｃ  平面部、１１ｅ  湾曲面、１１ｆ  鉛直平面、
１３  枠体、１３ａ  開口、１４  吊元扉、１５  移動扉、１９  戸先框、
５０  ラッチ本体、５４  移動部材、５４ｂ  係合部、５４ｇ  係合面、
５４ｈ  係合面、５８  Ｏリング
【図１】
2013133679.tif 000003
【図２】
2013133679.tif 000004
【図３】
2013133679.tif 000005
【図４】
2013133679.tif 000006
【図５】
2013133679.tif 000007
【図６】
2013133679.tif 000008